(57)【要約】【課題】ファイルの内容を容易に把握可能な表示処理装置、表示処理方法、およびブラウザプログラムを提供することを目的とする。【解決手段】表示処理装置１は、操作者により、ブラウザ画面でフォルダ表示領域のフォルダが選択されると、ＣＰＵ１３は、選択されたフォルダを識別表示すると共に、選択されたフォルダに含まれる画像ファイルのサムネイルを、サムネイル表示領域に表示する。また、ブラウザ画面には、アイコンバーが表示され、このアイコンバーには、登録されたアドインソフトのアイコンが表示される。【選択図】        図１
2006202302.tif 000002
【特許請求の範囲】
【請求項１】
ファイルを表示する表示処理装置において、
少なくとも、アプリケーションと、該アプリケーションが提供するＩ／Ｆ（インターフェース）に従って動作するソフトウエアにより構成されるブラウザシステムが実行することで、表示画面にファイルの表示を行い、
前記アプリケーションは、前記表示画面を複数の表示領域に分割し、
前記複数の表示領域は、少なくとも、
選択されたフォルダを識別表示するフォルダ識別表示領域と、
前記選択されたフォルダに含まれるファイルの関連情報を表示する関連情報表示領域と、
前記ソフトウエアのアイコンを表示するアイコン表示領域と、
を備えたことを特徴とする表示処理装置。
【請求項２】
前記ブラウザシステムは、
前記アプリケーションと前記ソフトウエアの表示領域を、境界線で分割する分割表示を行うことを特徴とする請求項１に記載の表示処理装置。
【請求項３】
前記ブラウザシステムは、
前記選択されたフォルダに画像ファイルが含まれる場合には、前記関連情報表示領域に当該画像ファイルに対応するサムネイルを表示することを備えたことを特徴とする請求項１または請求項２に記載の表示処理装置。
【請求項４】
前記ブラウザシステムは、
前記選択されたフォルダに文書ファイルや音声ファイルが含まれる場合には、前記関連情報表示領域に、当該文書ファイルや音声ファイルの種類を示すアイコンを表示することを特徴とする請求項１〜請求項３のいずれか１つに記載の表示処理装置。
【請求項５】
前記ブラウザシステムは、
前記選択されたフォルダに含まれる画像ファイルを選択し、該選択された画像ファイルのサムネイルを作成し、記憶手段に当該選択された画像ファイルに関連づけて当該作成したサムネイルを記憶するサムネイル作成手段と、
サムネイルを表示する際に、前記記憶手段にサムネイルが記憶されている場合には、当該記憶されたサムネイルを読み出して前記関連情報表示領域に表示する一方、前記記憶手段にサムネイルが記憶されていない場合には、新たにサムネイルを作成して前記関連情報表示領域に表示するサムネイル表示手段と、
を備えたことを特徴とする請求項３または請求項４に記載の表示処理装置。
【請求項６】
前記ブラウザシステムは、
１又は複数のキーワードを入力するキーワード入力手段と、
前記キーワード入力手段により入力されたキーワードの１又は複数を、１又は複数のサムネイルに、それぞれ設定するキーワード設定手段と、
前記キーワード入力手段により入力されたキーワードを１又は複数選択するキーワード選択手段と、
前記キーワード選択手段により選択されたキーワードを検索キーとして、当該選択されたキーワードが設定されたファイルを検索し、一覧表示する検索手段と、
を備えたことを特徴とする請求項１〜請求項５のいずれか１つに記載の表示処理装置。
【請求項７】
前記ブラウザシステムは、
１又は複数のキーワードを入力するキーワード入力手段と、
前記キーワード入力手段により入力されたキーワードを表示するためのキーワード表示領域と、
前記キーワード入力手段により入力されたキーワードを、前記キーワード表示領域に表示するキーワード表示手段と、
前記キーワード入力手段により入力されたキーワードの１又は複数を、１又は複数のサムネイルに、それぞれ設定するキーワード設定手段と、
前記キーワード表示領域に表示されたキーワードを１又は複数選択するキーワード選択手段と、
前記キーワード選択手段により選択されたキーワードを検索キーとして、当該選択されたキーワードが設定されたサムネイルを複数のフォルダに跨って検索し、一覧表示する検索手段と、
を備えたことを特徴とする請求項１〜請求項５のいずれか１つに記載の表示処理装置。
【請求項８】
前記ブラウザシステムは、
前記サムネイルに対応した画像を指定された角度回転させて表示する画像回転手段を備えたことを特徴とする請求項３〜請求項７のいずれか１つに記載の表示処理装置。
【請求項９】
前記ブラウザシステムは、
前記画像回転手段は、画像の撮影情報に基づいて、画像を所定角度回転させて表示することを特徴とする請求項８に記載の表示処理装置。
【請求項１０】
前記ブラウザシステムは、
前記サムネイルを前記アイコン表示領域に表示された処理手段を示すアイコンにドラッグ＆ドロップすることにより当該サムネイルに対応する画像ファイルを当該処理手段に引き渡すと共に、当該処理手段を起動させる起動手段を備えたことを特徴とする請求項３〜請求項９のいずれか１つに記載の表示処理装置。
【請求項１１】
前記ブラウザシステムは、
指定されたサムネイルの明るさ及びコントラストを夫々段階的に補正して得られる複数のサムネイルを一覧表示する補正手段を備えたことを特徴とする請求項３〜請求項１０のいずれか１つに記載の表示処理装置。
【請求項１２】
ファイルを表示する表示処理方法において、
少なくとも、アプリケーションと、該アプリケーションが提供するＩ／Ｆ（インターフェース）に従って動作するソフトウエアにより構成されるブラウザシステムが実行することで、表示装置の表示画面にファイルの表示を行い、
前記アプリケーションは、前記表示装置の表示画面を複数の表示領域に分割し、
前記複数の表示領域は、少なくとも、
選択されたフォルダを識別表示するフォルダ識別表示領域と、
前記選択されたフォルダに含まれるファイルの関連情報を表示する関連情報表示領域と、
前記ソフトウエアのアイコンを表示するアイコン表示領域と、
を備えたことを特徴とする表示処理方法。
【請求項１３】
前記ブラウザシステムは、
前記アプリケーションと前記ソフトウエアの表示領域を、境界線で分割する分割表示を行うことを特徴とする請求項１２に記載の表示処理方法。
【請求項１４】
前記ブラウザシステムは、
前記選択されたフォルダに画像ファイルが含まれる場合には、前記関連情報表示領域に当該画像ファイルに対応するサムネイルを表示することを備えたことを特徴とする請求項１２または請求項１３に記載の表示処理方法。
【請求項１５】
前記ブラウザシステムは、
前記選択されたフォルダに文書ファイルや音声ファイルが含まれる場合には、前記関連情報表示領域に、当該文書ファイルや音声ファイルの種類を示すアイコンを表示することを特徴とする請求項１２〜請求項１４のいずれか１つに記載の表示処理方法。
【請求項１６】
前記ブラウザシステムは、
前記選択されたフォルダに含まれる画像ファイルを選択し、該選択された画像ファイルのサムネイルを作成し、記憶手段に当該選択された画像ファイルに関連づけて当該作成したサムネイルを記憶するサムネイル作成工程と、
サムネイルを表示する際に、前記記憶手段にサムネイルが記憶されている場合には、当該記憶されたサムネイルを読み出して前記関連情報表示領域に表示する一方、前記記憶手段にサムネイルが記憶されていない場合には、新たにサムネイルを作成して前記関連情報表示領域に表示するサムネイル表示工程と、
を備えたことを特徴とする請求項１４または請求項１５のいずれか１つに記載の表示処理方法。
【請求項１７】
前記ブラウザシステムは、
１又は複数のキーワードを入力するキーワード入力工程と、
前記キーワード入力工程により入力されたキーワードの１又は複数を、１又は複数のサムネイルに、それぞれ設定するキーワード設定工程と、
前記キーワード入力工程により入力されたキーワードを１又は複数選択するキーワード選択工程と、
前記キーワード選択工程により選択されたキーワードを検索キーとして、当該選択されたキーワードが設定されたファイルを検索し、一覧表示する検索工程と、
を備えたことを特徴とする請求項１２〜請求項１６のいずれか１つに記載の表示処理方法。
【請求項１８】
前記ブラウザシステムは、
１又は複数のキーワードを入力するキーワード入力工程と、
前記キーワード入力工程により入力されたキーワードを表示するためのキーワード表示領域と、
前記キーワード入力工程により入力されたキーワードを、前記キーワード表示領域に表示するキーワード表示工程と、
前記キーワード入力工程により入力されたキーワードの１又は複数を、１又は複数のサムネイルに、それぞれ設定するキーワード設定工程と、
前記キーワード表示領域に表示されたキーワードを１又は複数選択するキーワード選択工程と、
前記キーワード選択工程により選択されたキーワードを検索キーとして、当該選択されたキーワードが設定されたサムネイルを複数のフォルダに跨って検索し、一覧表示する検索工程と、
を備えたことを特徴とする請求項１２〜請求項１７のいずれか１つに記載の表示処理方法。
【請求項１９】
前記ブラウザシステムは、
前記サムネイルに対応した画像を指定された角度回転させて表示する画像回転工程を備えたことを特徴とする請求項１４〜請求項１８のいずれか１つに記載の表示処理方法。
【請求項２０】
前記ブラウザシステムは、
前記画像回転工程は、画像の撮影情報に基づいて、画像を所定角度回転させて表示することを特徴とする請求項１９に記載の表示処理方法。
【請求項２１】
前記ブラウザシステムは、
前記サムネイルを前記アイコン表示領域に表示された処理手段を示すアイコンにドラッグ＆ドロップすることにより当該サムネイルに対応する画像ファイルを当該処理手段に引き渡すと共に、当該処理手段を起動させる起動工程を備えたことを特徴とする請求項１４〜請求項２０のいずれか１つに記載の表示処理方法。
【請求項２２】
前記ブラウザシステムは、
指定されたサムネイルの明るさ及びコントラストを夫々段階的に補正して得られる複数のサムネイルを一覧表示する補正工程を備えたことを特徴とする請求項１４〜請求項２１のいずれか１つに記載の表示処理方法。
【請求項２３】
コンピュータにより実行され、ファイルを表示するためのブラウザプログラムにおいて、
少なくとも、アプリケーションと、該アプリケーションが提供するＩ／Ｆ（インターフェース）に従って動作するソフトウエアにより構成され、
表示装置の表示画面を複数の表示領域に分割して、ファイルを表示するファイル表示工程をコンピュータに実行させ、
前記複数の表示領域は、少なくとも、
選択されたフォルダを識別表示するフォルダ識別表示領域と、
前記選択されたフォルダに含まれるファイルの関連情報を表示する関連情報表示領域と、
前記ソフトウエアのアイコンを表示するアイコン表示領域と、
を含むことを特徴とするブラウザプログラム。
【請求項２４】
前記アプリケーションと前記ソフトウエアの表示領域を、境界線で分割する分割表示をコンピュータに実行させることを特徴とする請求項２３に記載のブラウザプログラム。
【請求項２５】
前記選択されたフォルダに画像ファイルが含まれる場合には、前記関連情報表示領域に当該画像ファイルに対応するサムネイルをコンピュータに表示させることを特徴とする請求項２３または請求項２４に記載のブラウザプログラム。
【請求項２６】
前記選択されたフォルダに文書ファイルや音声ファイルが含まれる場合には、前記関連情報表示領域に、当該文書ファイルや音声ファイルの種類を示すアイコンをコンピュータに表示させることを特徴とする請求項２３〜請求項２５のいずれか１つに記載のブラウザプログラム。
【請求項２７】
前記選択されたフォルダに含まれる画像ファイルを選択し、該選択された画像ファイルのサムネイルを作成し、記憶手段に当該選択された画像ファイルに関連づけて当該作成したサムネイルを記憶するサムネイル作成工程と、
サムネイルを表示する際に、前記記憶手段にサムネイルが記憶されている場合には、当該記憶されたサムネイルを読み出して前記関連情報表示領域に表示する一方、前記記憶手段にサムネイルが記憶されていない場合には、新たにサムネイルを作成して前記関連情報表示領域に表示するサムネイル表示工程と、
をコンピュータに実行させることを特徴とする請求項２５または請求項２６に記載のブラウザプログラム。
【請求項２８】
１又は複数のキーワードを入力するキーワード入力工程と、
前記キーワード入力工程により入力されたキーワードの１又は複数を、１又は複数のサムネイルに、それぞれ設定するキーワード設定工程と、
前記キーワード入力工程により入力されたキーワードを１又は複数選択するキーワード選択工程と、
前記キーワード選択工程により選択されたキーワードを検索キーとして、当該選択されたキーワードが設定されたファイルを検索し、一覧表示する検索工程と、
をコンピュータに実行させることを特徴とする請求項２３〜請求項２７のいずれか１つに記載のブラウザプログラム。
【請求項２９】
１又は複数のキーワードを入力するキーワード入力工程と、
前記キーワード入力工程により入力されたキーワードを表示するためのキーワード表示領域と、
前記キーワード入力工程により入力されたキーワードを、前記キーワード表示領域に表示するキーワード表示工程と、
前記キーワード入力工程により入力されたキーワードの１又は複数を、１又は複数のサムネイルに、それぞれ設定するキーワード設定工程と、
前記キーワード表示領域に表示されたキーワードを１又は複数選択するキーワード選択工程と、
前記キーワード選択工程により選択されたキーワードを検索キーとして、当該選択されたキーワードが設定されたサムネイルを複数のフォルダに跨って検索し、一覧表示する検索工程と、
をコンピュータに実行させることを特徴とする請求項２３〜請求項２７のいずれか１つに記載のブラウザプログラム。
【請求項３０】
前記サムネイルに対応した画像を指定された角度回転させて表示する画像回転工程をコンピュータに実行させることを特徴とする請求項２５〜請求項２９のいずれか１つに記載のブラウザプログラム。
【請求項３１】
前記画像回転工程は、画像の撮影情報に基づいて、画像を所定角度回転させて表示することを特徴とする請求項３０に記載のブラウザプログラム。
【請求項３２】
前記サムネイルを前記アイコン表示領域に表示された処理手段を示すアイコンにドラッグ＆ドロップすることにより当該サムネイルに対応する画像ファイルを当該処理手段に引き渡すと共に、当該処理手段を起動させる起動工程をコンピュータに実行させることを特徴とする請求項２５〜請求項３１のいずれか１つに記載のブラウザプログラム。
【請求項３３】
指定されたサムネイルの明るさ及びコントラストを夫々段階的に補正して得られる複数のサムネイルを一覧表示する補正工程をコンピュータに実行させることを特徴とする請求項２５〜請求項３２のいずれか１つに記載のブラウザプログラム。
【発明の詳細な説明】
【技術分野】
【０００１】
本発明は、表示処理装置、表示処理方法、およびブラウザプログラムに関し、詳細には、ブラウジング機能を備えた表示処理装置、表示処理方法、およびブラウザプログラムに関する。
【背景技術】
【０００２】
近時、ファイル管理ソフトやブラウザソフトが普及しており、あるウインドウにフォル
ダのＴｒｅｅ構造を示しながら別のウインドウに選択されているフォルダの一覧を表示す
る機能を有するものも知られている（例えば、非特許文献１〜６参照）。
【０００３】
上記ファイル管理ソフトやブラウザソフトでは、フォルダ一覧としてはファイル名と日
付等の情報が表示される。ところで、今日、記録メディアの大容量化に伴い、コンピュー
タをはじめとする各種機器で保管するファイルの数も膨大になりつつあり、必要なファイ
ルを探しだすための効率が問われ始めている。特に、デジタルカメラやビデオキャプチャ
ーボードなどでコンピュータに取り込んだ画像ファイルは、ハードウエアの制約から中身
が分からない機械的なファイル名が付されることが多い。そのようなファイルを含めて、
ある程度ファイルの中身の分かる表示を行ってユーザーが所望のファイルを選択でき、さ
らに、フォルダを跨るクロス検索機能等によって探し易くすることが望まれている。
【０００４】
【非特許文献１】松田安正，Ｗｉｎｄｏｗｓ９５入門２，日経パソコン，日経ＢＰ社，１９９５年１１月  ６日，２５２号，２２４−２２７頁
【非特許文献２】星野友彦，米国で出荷始まるＷｉｎｄｏｗｓ９５互換性と安定性で企業ユーザーへ，日経コンピュータ，日経ＢＰ社，１９９５年８月２１日，３７２号，７５−７８頁
【非特許文献３】望月安吾，親ばかパパのためのＨＴＭＬで親ばかホームページ作成  第８回，ＡＳＣＩＩ，株式会社アスキー，１９９７年  ２月  １日，２１巻、２号，３９９−４０４頁
【非特許文献４】井原潤、国友正彦，えっ！あなた、まだイメプロしていないんですか？，ＡＳＣＩＩ，株式会社アスキー，１９９６年９月１日，２０巻、９号，３１９−３２９頁
【非特許文献５】岩渕行洋，今からでも間に合うＷｉｎｄｏｗｓで年賀状，Ｔｈｅ  Ｗｉｎｄｏｗｓ，ソフトバンク株式会社，１９９７年  １月  １日，７巻、１号，１４５−１５７頁
【非特許文献６】尾花健一郎訳，Ａｄｏｂｅ  Ｐｈｏｔｏｓｈｏｐスーパーアートワークス〜３．０Ｊ対応，翔泳社，１９９６年  ９月２０日，初版，３５０−３５３頁
【発明の開示】
【発明が解決しようとする課題】
【０００５】
しかしながら、従来のファイル管理ソフトやブラウザソフトでは、フォルダ一覧として、ファイル名や日付の情報しか表示されないため、ファイルの内容を容易には把握できないという問題がある。
【０００６】
また、従来のファイル管理ソフトやブラウザソフトでは、検索機能が非力であり、複数フォルダにまたがる画像ファイルのクロス検索ができず、広い範囲に亘り効率的な画像フ
ァイルの検索ができないという問題がある。
【０００７】
本発明の目的は、上記課題に鑑みてなされたものであり、ファイルの内容を容易に把握
可能な表示処理装置、表示処理方法、およびブラウザプログラムを提供することにある。
【０００８】
また、本発明の他の目的は、広い範囲に亘り効率的なファイルの検索が可能な表示処理装置、表示処理方法、およびブラウザプログラムを提供することにある。
【課題を解決するための手段】
【０００９】
上記した課題を解決して、本発明の目的を達成するために、本発明は、ファイルを表示する表示処理装置において、少なくとも、アプリケーションと、該アプリケーションが提供するＩ／Ｆ（インターフェース）に従って動作するソフトウエアにより構成されるブラウザシステムが実行することで、表示画面にファイルの表示を行い、前記アプリケーションは、前記表示画面を複数の表示領域に分割し、前記複数の表示領域は、少なくとも、選択されたフォルダを識別表示するフォルダ識別表示領域と、前記選択されたフォルダに含まれるファイルの関連情報を表示する関連情報表示領域と、前記ソフトウエアのアイコンを表示するアイコン表示領域と、を備えたことを特徴とする。
【００１０】
また、本発明の好ましい態様によれば、前記ブラウザシステムは、前記アプリケーションと前記ソフトウエアの表示領域を、境界線で分割する分割表示を行うことが望ましい。
【００１１】
また、本発明の好ましい態様によれば、前記ブラウザシステムは、前記選択されたフォルダに画像ファイルが含まれる場合には、前記関連情報表示領域に当該画像ファイルに対応するサムネイルを表示することを備えたことが望ましい。
【００１２】
また、本発明の好ましい態様によれば、前記ブラウザシステムは、前記選択されたフォルダに文書ファイルや音声ファイルが含まれる場合には、前記関連情報表示領域に、当該文書ファイルや音声ファイルの種類を示すアイコンを表示することが望ましい。
【００１３】
また、本発明の好ましい態様によれば、前記ブラウザシステムは、前記選択されたフォルダに含まれる画像ファイルを選択し、該選択された画像ファイルのサムネイルを作成し、記憶手段に当該選択された画像ファイルに関連づけて当該作成したサムネイルを記憶するサムネイル作成手段と、サムネイルを表示する際に、前記記憶手段にサムネイルが記憶されている場合には、当該記憶されたサムネイルを読み出して前記関連情報表示領域に表示する一方、前記記憶手段にサムネイルが記憶されていない場合には、新たにサムネイルを作成して前記関連情報表示領域に表示するサムネイル表示手段と、を備えたことが望ましい。
【００１４】
また、本発明の好ましい態様によれば、前記ブラウザシステムは、１又は複数のキーワードを入力するキーワード入力手段と、前記キーワード入力手段により入力されたキーワードの１又は複数を、１又は複数のサムネイルに、それぞれ設定するキーワード設定手段と、前記キーワード入力手段により入力されたキーワードを１又は複数選択するキーワード選択手段と、前記キーワード選択手段により選択されたキーワードを検索キーとして、当該選択されたキーワードが設定されたファイルを検索し、一覧表示する検索手段と、を備えたことが望ましい。
【００１５】
また、本発明の好ましい態様によれば、前記ブラウザシステムは、１又は複数のキーワードを入力するキーワード入力手段と、前記キーワード入力手段により入力されたキーワードを表示するためのキーワード表示領域と、前記キーワード入力手段により入力されたキーワードを、前記キーワード表示領域に表示するキーワード表示手段と、前記キーワード入力手段により入力されたキーワードの１又は複数を、１又は複数のサムネイルに、それぞれ設定するキーワード設定手段と、前記キーワード表示領域に表示されたキーワードを１又は複数選択するキーワード選択手段と、前記キーワード選択手段により選択されたキーワードを検索キーとして、当該選択されたキーワードが設定されたサムネイルを複数のフォルダに跨って検索し、一覧表示する検索手段と、を備えたことが望ましい。
【００１６】
また、本発明の好ましい態様によれば、前記ブラウザシステムは、前記サムネイルに対応した画像を指定された角度回転させて表示する画像回転手段を備えたことが望ましい。
【００１７】
また、本発明の好ましい態様によれば、前記ブラウザシステムは、前記画像回転手段は、画像の撮影情報に基づいて、画像を所定角度回転させて表示することが望ましい。
【００１８】
また、本発明の好ましい態様によれば、前記ブラウザシステムは、前記サムネイルを前記アイコン表示領域に表示された処理手段を示すアイコンにドラッグ＆ドロップすることにより当該サムネイルに対応する画像ファイルを当該処理手段に引き渡すと共に、当該処理手段を起動させる起動手段を備えたことが望ましい。
【００１９】
また、本発明の好ましい態様によれば、前記ブラウザシステムは、指定されたサムネイルの明るさ及びコントラストを夫々段階的に補正して得られる複数のサムネイルを一覧表示する補正手段を備えたことが望ましい。
【００２０】
上記した課題を解決して、本発明の目的を達成するために、本発明は、ファイルを表示する表示処理方法において、少なくとも、アプリケーションと、該アプリケーションが提供するＩ／Ｆ（インターフェース）に従って動作するソフトウエアにより構成されるブラウザシステムが実行することで、表示装置の表示画面にファイルの表示を行い、前記アプリケーションは、前記表示装置の表示画面を複数の表示領域に分割し、前記複数の表示領域は、少なくとも、選択されたフォルダを識別表示するフォルダ識別表示領域と、前記選択されたフォルダに含まれるファイルの関連情報を表示する関連情報表示領域と、前記ソフトウエアのアイコンを表示するアイコン表示領域と、を備えたことが望ましい。
【００２１】
また、本発明の好ましい態様によれば、前記ブラウザシステムは、前記アプリケーションと前記ソフトウエアの表示領域を、境界線で分割する分割表示を行うことが望ましい。
【００２２】
また、本発明の好ましい態様によれば、前記ブラウザシステムは、前記選択されたフォルダに画像ファイルが含まれる場合には、前記関連情報表示領域に当該画像ファイルに対応するサムネイルを表示することが望ましい。
【００２３】
また、本発明の好ましい態様によれば、前記ブラウザシステムは、前記選択されたフォルダに文書ファイルや音声ファイルが含まれる場合には、前記関連情報表示領域に、当該文書ファイルや音声ファイルの種類を示すアイコンを表示することが望ましい。
【００２４】
また、本発明の好ましい態様によれば、前記ブラウザシステムは、前記選択されたフォルダに含まれる画像ファイルを選択し、該選択された画像ファイルのサムネイルを作成し、記憶手段に当該選択された画像ファイルに関連づけて当該作成したサムネイルを記憶するサムネイル作成工程と、サムネイルを表示する際に、前記記憶手段にサムネイルが記憶されている場合には、当該記憶されたサムネイルを読み出して前記関連情報表示領域に表示する一方、前記記憶手段にサムネイルが記憶されていない場合には、新たにサムネイルを作成して前記関連情報表示領域に表示するサムネイル表示工程と、を備えたことが望ましい。
【００２５】
また、本発明の好ましい態様によれば、前記ブラウザシステムは、１又は複数のキーワードを入力するキーワード入力工程と、前記キーワード入力工程により入力されたキーワードの１又は複数を、１又は複数のサムネイルに、それぞれ設定するキーワード設定工程と、前記キーワード入力工程により入力されたキーワードを１又は複数選択するキーワード選択工程と、前記キーワード選択工程により選択されたキーワードを検索キーとして、当該選択されたキーワードが設定されたファイルを検索し、一覧表示する検索工程と、を備えたことが望ましい。
【００２６】
また、本発明の好ましい態様によれば、前記ブラウザシステムは、１又は複数のキーワードを入力するキーワード入力工程と、前記キーワード入力工程により入力されたキーワードを表示するためのキーワード表示領域と、前記キーワード入力工程により入力されたキーワードを、前記キーワード表示領域に表示するキーワード表示工程と、前記キーワード入力工程により入力されたキーワードの１又は複数を、１又は複数のサムネイルに、それぞれ設定するキーワード設定工程と、前記キーワード表示領域に表示されたキーワードを１又は複数選択するキーワード選択工程と、前記キーワード選択工程により選択されたキーワードを検索キーとして、当該選択されたキーワードが設定されたサムネイルを複数のフォルダに跨って検索し、一覧表示する検索工程と、を備えたことが望ましい。
【００２７】
また、本発明の好ましい態様によれば、前記ブラウザシステムは、前記サムネイルに対応した画像を指定された角度回転させて表示する画像回転工程を備えたことが望ましい。
【００２８】
また、本発明の好ましい態様によれば、前記ブラウザシステムは、前記画像回転工程は、画像の撮影情報に基づいて、画像を所定角度回転させて表示することが望ましい。
【００２９】
また、本発明の好ましい態様によれば、前記ブラウザシステムは、前記サムネイルを前記アイコン表示領域に表示された処理手段を示すアイコンにドラッグ＆ドロップすることにより当該サムネイルに対応する画像ファイルを当該処理手段に引き渡すと共に、当該処理手段を起動させる起動工程を備えたことが望ましい。
【００３０】
また、本発明の好ましい態様によれば、前記ブラウザシステムは、指定されたサムネイルの明るさ及びコントラストを夫々段階的に補正して得られる複数のサムネイルを一覧表示する補正工程を備えたことが望ましい。
【００３１】
上記した課題を解決して、本発明の目的を達成するために、コンピュータにより実行され、ファイルを表示するためのブラウザプログラムにおいて、少なくとも、アプリケーションと、該アプリケーションが提供するＩ／Ｆ（インターフェース）に従って動作するソフトウエアにより構成され、表示装置の表示画面を複数の表示領域に分割して、ファイルを表示するファイル表示工程をコンピュータに実行させ、前記複数の表示領域は、少なくとも、選択されたフォルダを識別表示するフォルダ識別表示領域と、前記選択されたフォルダに含まれるファイルの関連情報を表示する関連情報表示領域と、前記ソフトウエアのアイコンを表示するアイコン表示領域と、を含むことを特徴とする。
【００３２】
また、本発明の好ましい態様によれば、前記アプリケーションと前記ソフトウエアの表示領域を、境界線で分割する分割表示をコンピュータに実行させることが望ましい。
【００３３】
また、本発明の好ましい態様によれば、前記選択されたフォルダに画像ファイルが含まれる場合には、前記関連情報表示領域に当該画像ファイルに対応するサムネイルをコンピュータに表示させることが望ましい。
【００３４】
また、本発明の好ましい態様によれば、前記選択されたフォルダに文書ファイルや音声ファイルが含まれる場合には、前記関連情報表示領域に、当該文書ファイルや音声ファイルの種類を示すアイコンをコンピュータに表示させることが望ましい。
【００３５】
また、本発明の好ましい態様によれば、前記選択されたフォルダに含まれる画像ファイルを選択し、該選択された画像ファイルのサムネイルを作成し、記憶手段に当該選択された画像ファイルに関連づけて当該作成したサムネイルを記憶するサムネイル作成工程と、サムネイルを表示する際に、前記記憶手段にサムネイルが記憶されている場合には、当該記憶されたサムネイルを読み出して前記関連情報表示領域に表示する一方、前記記憶手段にサムネイルが記憶されていない場合には、新たにサムネイルを作成して前記関連情報表示領域に表示するサムネイル表示工程と、をコンピュータに実行させることが望ましい。
【００３６】
また、本発明の好ましい態様によれば、１又は複数のキーワードを入力するキーワード入力工程と、前記キーワード入力工程により入力されたキーワードの１又は複数を、１又は複数のサムネイルに、それぞれ設定するキーワード設定工程と、前記キーワード入力工程により入力されたキーワードを１又は複数選択するキーワード選択工程と、前記キーワード選択工程により選択されたキーワードを検索キーとして、当該選択されたキーワードが設定されたファイルを検索し、一覧表示する検索工程と、をコンピュータに実行させることが望ましい。
【００３７】
また、本発明の好ましい態様によれば、１又は複数のキーワードを入力するキーワード入力工程と、前記キーワード入力工程により入力されたキーワードを表示するためのキーワード表示領域と、前記キーワード入力工程により入力されたキーワードを、前記キーワード表示領域に表示するキーワード表示工程と、前記キーワード入力工程により入力されたキーワードの１又は複数を、１又は複数のサムネイルに、それぞれ設定するキーワード設定工程と、前記キーワード表示領域に表示されたキーワードを１又は複数選択するキーワード選択工程と、前記キーワード選択工程により選択されたキーワードを検索キーとして、当該選択されたキーワードが設定されたサムネイルを複数のフォルダに跨って検索し、一覧表示する検索工程と、をコンピュータに実行させることが望ましい。
【００３８】
また、本発明の好ましい態様によれば、前記サムネイルに対応した画像を指定された角度回転させて表示する画像回転工程をコンピュータに実行させることが望ましい。
【００３９】
また、本発明の好ましい態様によれば、前記画像回転工程は、画像の撮影情報に基づいて、画像を所定角度回転させて表示することが望ましい。
【００４０】
また、本発明の好ましい態様によれば、前記サムネイルを前記アイコン表示領域に表示された処理手段を示すアイコンにドラッグ＆ドロップすることにより当該サムネイルに対応する画像ファイルを当該処理手段に引き渡すと共に、当該処理手段を起動させる起動工程をコンピュータに実行させることが望ましい。
【００４１】
また、本発明の好ましい態様によれば、指定されたサムネイルの明るさ及びコントラストを夫々段階的に補正して得られる複数のサムネイルを一覧表示する補正工程をコンピュータに実行させることが望ましい。
【発明の効果】
【００４２】
以上説明したように、本発明によれば、少なくとも、アプリケーションと、該アプリケーションが提供するＩ／Ｆ（インターフェース）に従って動作するソフトウエアにより構成されるブラウザシステムが実行することで、表示装置の表示画面にファイルの表示を行い、前記アプリケーションは、前記表示装置の表示画面を複数の表示領域に分割し、前記複数の表示領域は、少なくとも、選択されたフォルダを識別表示するフォルダ識別表示領域と、前記選択されたフォルダに含まれるファイルの関連情報を表示する関連情報表示領域と、前記ソフトウエアのアイコンを表示するアイコン表示領域と、を備えているので、ファイルの内容を容易に把握することが可能となるという効果を奏する。
【００４３】
また、本発明によれば、１又は複数のキーワードを入力するキーワード入力手段と、前記キーワード入力手段により入力されたキーワードの１又は複数を、１又は複数のサムネイルに、それぞれ設定するキーワード設定手段と、前記キーワード入力手段により入力されたキーワードを１又は複数選択するキーワード選択手段と、前記キーワード選択手段により選択されたキーワードを検索キーとして、当該選択されたキーワードが設定されたファイルを検索し、一覧表示する検索手段と、を備えているので、広い範囲に亘り効率的なファイルの検索が可能となるという効果を奏する。
【発明を実施するための最良の形態】
【００４４】
以下に、この発明につき図面を参照しつつ詳細に説明する。なお、この実施の形態によりこの発明が限定されるものではない。また、下記実施の形態における構成要素には、当業者が容易に想定できるものまたは実質的に同一のものが含まれる。
【００４５】
本発明の実施の形態を、〔本実施の形態に係る表示処理装置の構成〕、〔本実施の形態に係るブラウザプログラムの概要〕、〔アドインソフトの概要〕、〔ブラウザプログラムに係る基本画面〕、〔表示処理装置の動作〕を順に説明する。
【００４６】
〔本実施の形態に係る表示処理装置の構成〕
図１は、本実施の形態に係る表示処理装置の概略構成例を示す図である。
【００４７】
図１において、１は表示処理装置を示しており、表示処理装置１は、操作指示を与える
入力部１１と、表示部１２と、表示処理装置全体の制御を司るＣＰＵ１３と、外部装置と
データ通信をおこなう通信部１４と、記録媒体１６のデータのリード／ライトを行う記録
媒体アクセス装置１５と、ＣＰＵ１３を動作させるプログラム等を格納した記録媒体１６
と、画像ファイル等を格納する管理ファイル１７と、表示データ等を印刷する印刷部１８
と、及びＣＰＵ１３のワークエリアとして使用されるＲＡＭ１９と、を備えている。これ
ら表示処理装置の各部は、バスを介して互いに接続されている。
【００４８】
上記入力部１１は、カーソルキー、数字入力キー及び各種機能キー等を備えたキーボー
ド、マウス、並びに画像を読みとるスキャナ等からなる。この入力部１１は、必ずしも表
示処理装置にローカルに接続される必要はなく、ＰＨＳ・リモートターミナル（例えば、
Ｐｅｒｓｏｎａｌ  Ｄｉｇｉｔａｌ  Ａｓｓｉｓｔａｎｔ）等のリモート装置や、当該表
示処理装置１と双方向でデータ通信が可能な装置等を入力手段として使用しても良い。ま
た、入力部１１は、ＣＰＵ１２に操作コマンドを与えて動作させるためのユーザーインタ
ーフェースである。なお、入力部１１としては、上記したものに限られるものではなく、
タッチパネル、トラックボールや音声認識機構等を用いても良い。
【００４９】
上記表示部１２は、ＣＲＴ（Ｃａｔｈｏｄ  Ｒａｙ  Ｔｕｂｅ  ）ＬＣＤ（Ｌｉｑｕｉ
ｄ  Ｃｒｙｓｔａｌ  Ｄｉｓｐｌａｙ  ）や、プラズマディスプレイ等により構成され、
ＣＰＵ１３から入力される表示データに応じた表示が行われる。
【００５０】
上記ＣＰＵ１３は、例えば、３２ビットマイクロプロセッサ、他のマイクロプロセッサ
、ＤＳＰ（Ｄｉｇｉｔａｌ  Ｓｉｇｎａｌ  Ｐｒｏｓｅｓｓｏｒ）や、プログラマブルロ
ジック等からなる。また、ＣＰＵ１３は、必ずしもシングルプロセッサである必要はなく
、分散処理をするタイプのものでも良い。このＣＰＵ１３は、記録媒体に格納されている
プログラムに従って、装置全体を制御する中央制御ユニットであり、このＣＰＵ４には、
入力部１１、表示部１２、通信部１４、記録媒体アクセス制御装置１５、管理ファイル１
７、印刷部１８、及びＲＡＭ１９が接続されており、データ通信、メモリへのアクセスに
よるアプリケーションプログラムの読み出しや各種データのリード／ライト、データ／コ
マンド入力、カラー表示等を制御する。
【００５１】
上記通信部１４は、電話回線、ＩＳＤＮ（Ｉｎｔｅｇｒａｔｅｄ  Ｓｅｒｖｉｃｅｓ
Ｄｉｇｉｔａｌ  Ｎｅｔｗｏｒｋ）、ＬＡＮ（Ｌｏｃａｌ  Ａｒｅａ  Ｎｅｔｗｏｒｋ）
や、ＷＡＮ（Ｗｉｄｅ  Ａｒｅａ  Ｎｅｔｗｏｒｋ  ）等に接続され、内蔵したモデム（
図示せず）を経て電話回線を介してデータ通信を行う。また、通信部１４は、ＲＳ２３２
ＣインターフェースやＩｒＤＡインターフェースを備えており、デジタルカメラ等の外部
機器と前述のＲＳ２３２Ｃインターフェースを介してケーブル（有線）によるデータ通信
や前述のＩｒＤＡインターフェースを介して赤外線（無線）によるデータ通信を行う。
【００５２】
上記記録媒体１６は、ＣＰＵ１３が実行可能なＯＳプログラム（例えば、ＷＩＮＤＯＷ
Ｓ）やアプリケーションプログラム等の各種プログラムやデータを格納する。アプリケー
ションプログラムとしては、例えば、ブラウザプログラム（基本アプリケーションとアド
インソフトを含む）等がある。記録媒体は、例えば、フロッピーディスク、ハードディス
ク、ＣＤ−ＲＯＭ、ＤＶＤ−ＲＯＭ、ＭＯやＰＣカード等の光学的・磁気的・電気的な記
録媒体から成る。上記各種プログラムは、ＣＰＵ１３が直接又は間接に解釈可能なオブジ
ェクトコードやソースコード等の形態で記録媒体１６に格納されている。また、上記各種
プログラムは、予め記録媒体に記録されている場合や通信回線を介してダウンロードされ
て記録媒体に格納される場合等がある。
【００５３】
上記ＲＡＭ１９は、指定されたプログラム、入力指示、入力データ及び処理結果等を格
納するワークメモリと、表示部１２の表示画面に表示する表示データを一時的に格納する
表示メモリとを備えている。
【００５４】
上記管理ファイル１７には、ブラウザプログラムで使用されるキーワードデーブル１７
ａ、検索用テーブル１７ｂ、及び複数の画像ファイル１７ｃ・音声ファイル・文書ファイ
ル等が格納される。
【００５５】
図２は、上記キーワードテーブル１７ａの構成例を示す図である。キーワードテーブル１７ａは、図２に示す如く、キーワードＮ０（Ａ、Ｂ、・・・）に対応させて操作者により入力されるキーワードを格納するものである。このキーワードテーブル１７ａは、キーワードの入力や削除がある毎に、データが更新される。論理的な識別子（キーワードＮ０）を特定のキーワードに割り当てることとしたのは、▲１▼特定のキーワードに関連するファイルをキーワードや当該キーワードに対応するキーワードＮＯに基づきグループ化して保存するため（図４参照）、▲２▼データサイズを小さくするため、▲３▼関連する画像を容易に検索して表示するためである。
【００５６】
図３は、上記画像ファイル１７ｃのデータ構成例を示す図である。画像ファイル１７ｃは、図３に示す如く、画像データの形式や作成日時等のデータを含むヘッダ情報と、画像データと、当該画像ファイルのサムネイルが作成された場合にそのサムネイルデータと、操作者により当該サムネイル（画像ファイル）に設定されるメモ情報と、及び画像がデジタルカメラ２０等で作製された場合に画像の撮影角度等を含むその撮影情報と、から構成される。
【００５７】
尚、上記図３に示す画像ファイルでは、画像データとサムネイルデータとを同一のファ
イルとして扱っているが、サムネイルを画像データと別のファイルとして扱って他の記憶
領域に格納することとしても良い。その場合、サムネイルデータのメモリアドレス又はポ
インタを画像ファイル若しくは検索用テーブルに記憶しておけば良い。
【００５８】
図４は、上記検索用テーブル１７ｂの構成例を示す図である。検索用テーブル１７ｂは、図４に示す如く、フォルダ名と、このフォルダに含まれるファイル名と、当該ファイルのメモリアドレスと、当該ファイルの作製日時と、画像ファイルのサムネイルの作製の有無（「１」は有りを示し、「０」は無しを示す）と、サムネイル（画像ファイル）に設定されるキーワードＮｏ（Ａ、Ｂ、・・・）と、サムネイル（画像ファイル）に設定されるメモ情報の有無（「１」は有りを示し、「０」は無しを示す）と、撮影情報の有無（「１」は有りを示し、「０」は無しを示す）と、サムネイル（画像ファイル）に設定される音声ファイル名（「０」は音声ファイルの設定無しを示す）とを対応づけて格納する。例えば、サムネイルを表示する場合には、サムネイルが既に作製されているか否かをこの検索用テーブル１７ｂを参照して判断し、既に、サムネイルが作製されている場合には、対応するサムネイルが画像ファイル１７ｃから読み出される。また、後述する検索処理においては、選択対象となるキーワードが設定されたサムネイルがこの検索テーブル１７ｂから検索され、対応するサムネイルが画像ファイルから読み出される。この検索テーブル１７ｂは、データの入力・設定・削除等がある毎に更新される。他方、サムネイルが存在しない場合には、ＣＰＵ１３（図１参照）は、サムネイルを作成して表示するために、画像データを用いてサムネイル作成処理を実行する。
【００５９】
〔本実施の形態に係るブラウザプログラムの概要〕
次に、上記記録媒体１６に格納されるブラウザプログラムの概要を説明する。
【００６０】
図５は、ブラウザプログラムのシステム概要を示す図である。本ブラウザシステムは、マルチタスク機能を備えたＯＳ（例えば、ＷＩＮＤＯＷＳ  ＮＴ）上で動作し、パソコン上の画像ファイル等をビジュアルに整理し、検索、補正を行うためのものである。また、本ブラウザシステムは、基本アプリケーションとアドインソフトからなる。
【００６１】
上記基本アプリケーションは、パソコン上の画像ファイルをフォルダ単位でサムネイル
表示し、画像を検索・整理する本体部分（以下、「ＤＩＧＩＣＬＩＰ」と言う）と選択し
た画像を補正・印刷・保存する部分（以下、「ビューア」と言う）からなるものである。
【００６２】
上記アドインソフトは、基本アプリケーションで検索・整理した画像を利用するソフト
である。図５に示すように、データはＤＩＧＩＣＬＩＰとアドインソフト間で交換される
。
【００６３】
図６は、ブラウザシステムの機能を示す図である。本ブラウザシステムは、図６に示す如く、パソコン上の画像ファイルに対してサムネイルを表示し、検索、音声やメモの設定、コピー、移動、削除、補正、印刷等の操作機能を備えている。本システムの機能をより詳細に以下で説明する。
【００６４】
（１）サムネイル表示：指定したフォルダ内の画像ファイルをサムネイル表示を可能と
する機能である。
（２）検索：選択した画像ファイル（サムネイル）に対してキーワード設定・キーワー
ド解除をおこない、また、設定したキーワードを選択することによりキーワード検索を可
能とする機能である。
（３）設定：選択した画像ファイル（サムネイル）に対して音声の設定／消去やメモ設
定を可能とする機能である。
（４）利用
▲１▼削除：フォルダ内から選択した画像の削除を可能とする機能である。
▲２▼コピー：画像のコピーを可能とする機能である。
▲３▼スキャナー：新たな画像を基本アプリケーションにスキャンすることを可能
とする機能である。
▲４▼データ変換：ファイルのフォーマットを他のデータ形式に変換することを可
能とする機能である。
▲５▼印刷：画像ファイルをプリンターに印刷することを可能とする機能である。
（５）ビューワ：操作者が選択した画像を見ることを可能とする機能である。
【００６５】
上記アドインソフトは、基本アプリケーションで検索・整理した画像を利用するソフト
である。
【００６６】
〔アドインソフトの概要〕
アドインソフトは、基本アプリケーションを起動すると、自動的にアイコンバー（図９
、図１０参照）にアドインソフトのアイコンとタイトルが登録される。
【００６７】
（基本アプリケーションとアドインソフトの関係）
基本アプリケーションは、アドインソフトに対して画像ファイルの管理情報（メモ、キ
ーワード、音声、サムネイル画像）を取得できるＩ／Ｆを提供する。基本アプリケーショ
ンは、アドインソフトに対して基本アプリケーションの表示状態を制御できるインターフ
ェースを提供する（ウインドウの連携）。ここでアドインソフトとは、基本アプリケーシ
ョンの提供するＩ／Ｆの約束に従って、利用するソフトをいう。
【００６８】
アドインソフトは、単独で起動できる独立したアプリケーションである。但し、基本ア
プリケーションが起動した場合、基本アプリケーションの提供するＩ／Ｆとドラッグ＆ド
ロップを使用して以下の機能を可能とする。
【００６９】
▲１▼ウインドウの制御
図８は、基本アプリケーションとアドインソフトのウインドウは連携を示す図である。
図８において、マウスを、基本アプリケーションとアドインソフトのウインドウの境界線
Ａにマウスをあてて、左右に動かすと連携して左右のウインドウの大きさが変わる。
【００７０】
▲２▼画像データの受け渡し
図７は、基本アプリケーションとアドインソフトとのデータの受け渡しを説明するため
の図である。先ず、基本アプリケーションからアドインソフトに画像とファイル名をドラ
ッグ＆ドロップで渡すことができる。また、アドインソフトから基本アプリケーションに
ＤＩＢ（Ｄｅｖｉｃｅ  Ｉｎｄｅｐｅｎｄｅｎｔ  Ｂｉｔｍａｐ  ）形式の画像をドラッ
グ＆ドロップすると、基本アプリケーションのドロップされたフォルダにファイルとして
登録する。そして、アドインソフトは、受け取ったファイル名を元にして、画像ファイル
の管理情報（メモ、キーワード、音声、サムネイル画像）を取得することができる。前述
の管理ファイル７に格納されたサムネイル情報、音声設定情報や、メモ設定情報等のファ
イル情報は、基本アプリケーションおよびアドインソフトの両者により利用される。
【００７１】
〔ブラウザプログラムに係る基本画面〕
図９は、基本アプリケーション（ブラウザ）の基本画面（ブラウザ画面）の１例を示す
図である。
【００７２】
基本アプリケーションの基本画面は、図９に示す如く、メニューを表示するメニューバ
ー▲１▼、ツールボタンを表示するツールバー▲２▼、アイコンバー▲３▼、フォルダ表
示領域▲４▼、サムネイル表示領域（ファイル関連情報表示領域）▲５▼、キーワードバ
ー（キーワード表示領域）▲６▼を備えている。
【００７３】
上記アイコンバー▲３▼には、図９および図１０に示す如く、登録したアプリケーショ
ンのアイコンとそのタイトルを表示される。また、図９に示す如く、上記アイコンバー▲
３▼には、“ＤＩＧＩＣＬＩＰ−Ｐ”のアイコンが表示されている。ここで、操作者が、
起動したいアイコンをダブルクリックすると、アプリケーションソフトが起動する。そし
て、サムネイルを選択後、起動したいアイコンへドラッグ＆ドロップするとアドインソフ
トが起動する。
【００７４】
上記フォルダ表示領域▲４▼には、フォルダが表示される。フォルダを選択後、移動先
フォルダはドラッグ＆ドロップするとフォルダの移動ができる。また、フォルダを選択後
、移動先フォルダへＣｔｒｌ＋ドラッグ＆ドロップするとフォルダのコピーができる。
【００７５】
上記サムネイル表示領域▲５▼には、図１１に示す如く、選択されたフォルダ内の画像
ファイルのサムネイル、その画像ファイルのファイル名、キーワード、音声設定の有無、
メモ設定の有無が表示される。これらの情報が表示されることにより、操作者は即座にフ
ァイルの内容および属性を認識することが可能となる。そして、このサムネイルをダブル
クリックすると、「ビューワ」が起動し、例えば、図１２に示すようなビューワ画面が表
示され、デジタルカメラやデジタルビデオカメラ等で取り込んだ画像の表示・補正ができ
る。この「ビューワ」は、複数起動できる。図１１に示すサムネイルでは、画像の修正等
の種々の処理ができる。例えば、ファイル名をダブルクリックすると、ファイル名を変更
できる。また、キーワードをダブルクリックするとキーワードの設定ができる。音声をダ
ブルクリックすると、設定されている音声を再生する。また、サムネイルを選択後、移動
先フォルダへＳｈｉｆｔキーを押しながらドラッグ＆ドロップすると、画像の移動ができ
る。また、サムネイルを選択後、コピー先フォルダへドラッグ＆ドロップすると、画像の
コピーができる。
【００７６】
上記キーワードバー▲６▼には、図９に示すように、キーワードボタンが複数表示され
る。画像ファイルを選択後、設定したいキーワードの項目へドラッグ＆ドロップすると画
像にキーワードが設定される。また、キーワードバーのボタンをクリックすると、クリッ
クされたボタンと同じキーワードが設定してある画像のみを表示する（キーワード検索機
能）。また、キーワード解除後、キーワードバーの左側の「Ｋｅｙｗｏｒｄ」部をクリッ
クすると検索状態を解除し、フォルダ内のサムネイルを全て表示する。
【００７７】
図１３は、ブラウザ画面のメニューバー▲１▼のプルダウンメニューを示しており、図
１４、ビューア画面のメニューバーのプルダウンメニューを示しており、これらプルダウ
ンメニューを選択することによってもブラウザを操作できるようになっている。
【００７８】
〔表示処理装置の動作〕
以下、ブラウザプログラムに従ってＣＰＵ１３の制御により実行される表示処理装置の
各種処理を説明する。
【００７９】
（識別表示処理）
図１５のフローチャートを参照して、ＣＰＵ１３の制御により実行される識別表示処理
を説明する。図１５は、ＣＰＵ１３の制御により実行される識別表示処理を説明するためのフローチャートである。
【００８０】
先ず、表示処理装置１の本体の電源が投入されると、記録媒体１６に格納されたブラウ
ザプログラムを起動し（ステップＳ１）、ブラウザプログラムの初期画面を表示する（ス
テップＳ２）。次いで、操作者により、フォルダ表示領域▲４▼のフォルダが選択される
と（ステップＳ３）、選択されたフォルダを識別表示する（ステップＳ４）。そして、選
択されたフォルダに含まれる画像ファイルのサムネイルを、サムネイル表示領域▲５▼に
表示する（ステップＳ５）。この場合、サムネイルが既に作成されて管理ファイル１７に
記憶されている場合には、この記憶されているサムネイルを読み出して表示することによ
りサムネイルの高速表示を行う。他方、サムネイルが作成されていない場合には、新たに
サムネイルを作成して表示する。
【００８１】
上記図９は、この識別表示処理の表示例を示しており、この図９においては、フォルダ
表示領域▲４▼においてフォルダ名「ｔｍｐ」のフォルダが選択され、このフォルダが開
いたように表示されることによりフォルダの識別表示が為されている。また、この「ｔｍ
ｐ」のフォルダに含まれる画像ファイルに対応するサムネイルがサムネイル表示領域▲５
▼に表示されている。
【００８２】
尚、上記識別表示処理では、フォルダ内に画像ファイルが含まれている場合を説明した
が、フォルダ内に音声ファイルや文書ファイルが含まれている場合には、これら音声ファ
イルや文書ファイルの種類を示すアイコンをサムネイル表示領域▲５▼に表示することに
しても良い。また、階層・関係を示す組織的構成を用いる他のオペレーティングシステム
のパラグラム（フォルダー以外）を上記したフォルダの代わりに使用することにしても良
い。
【００８３】
（画像の登録処理）
次に、ＣＰＵ１３の制御により実行される画像の登録処理を説明する。
【００８４】
画像の登録方法としては、例えば、３つの方法があり、登録ウインドウを開いて登録す
る方法、クリップボードの画像を登録する方法、入力部１１のスキャナから画像を取り込
む方法等がある。
【００８５】
先ず、画像を登録する場合には、先ず、登録するフォルダを作成する。具体的には、操
作者により、ブラウザ画面において、フォルダ表示領域▲４▼でフォルダを作成する場所
が選択され、そして、メニューバー▲１▼の「ファイル」のプルダウンメニュー（図１３
（Ａ）参照）から「フォルダの新規作成」が選択される。続いて、操作者によりフォルダ
名の入力がなされ、確認の「ＯＫ」が選択されると、入力されたフォルダ名のフォルダを
作成して、フォルダ表示領域▲４▼に表示する。
【００８６】
次に、登録されたフォルダに画像を登録する。
【００８７】
先ず、登録ウインドウを開いて画像を登録する方法を説明する。操作者により、ブラウ
ザ画面において、メニューバー▲１▼の「ファイル」のプルダウンメニュー（図１３（Ａ
）参照）から「登録ウインドウを開く」が選択されると、例えば、図１６に示す如き、登
録用ウインドウを表示する。次いで、操作者により、登録画像のサムネイル表示領域▲８
▼のサムネイル選択が選択され、そして、登録用フォルダ表示領域▲７▼の登録したいフ
ォルダにドラッグ＆ドロップされて、確認の「ＯＫ」が選択されると、選択されたサムネ
イルに対応した画像ファイルをフォルダに登録する。
【００８８】
次に、クリップボードの画像を登録する方法を説明する。予めクリップボードに画像フ
ァイルをコピーしておき、操作者により、メニューバー▲１▼の「編集」のプルダウンメ
ニューから「貼り付け」が選択され（図１３（Ｂ）参照）、確認の「ＯＫ」が選択される
と、フォルダにクリップボードの画像ファイルを登録する。
【００８９】
続いて、入力部１１のスキャナから画像を取り込む方法を説明する。先ず、操作者によ
り、ブラウザ画面において、メニューバー▲１▼の「ファイル」のプルダウンメニュー（
図１３（Ａ）参照）から「スキャナから取り込み」が選択され、原稿がスキャナにセット
される。次いで、操作者により、フォルダ表示領域▲４▼で、画像を登録するフォルダが
選択され、そして、「スキャナから取り込み」のプルダウンメニューから「スキャナ入力
」が選択されると、スキャナから画像が入力され、入力された画像を選択されたフォルダ
に登録する。尚、同様な方法によりデジタルカメラやデジタルビデオカメラから画像を取
り込むことにしても良い。
【００９０】
（サムネイルの作成処理）
図１７のフローチャートを参照して、ＣＰＵ１３の制御により実行されるサムネイルの
作成処理を説明する。図１７は、ＣＰＵ１３の制御により実行されるサムネイルの作成処理を説明するためのフローチャートである。
【００９１】
先ず、操作者により、ブラウザ画面において、フォルダ表示領域▲４▼からサムネイル
を作成するフォルダが選択される（ステップＳ１０）。次いで、操作者により、メニュー
バー▲１▼の「画像」のプルダウンメニューから「サムネイル作成」が選択され（ステッ
プＳ１１）、確認の〔ＯＫ」が選択されると（ステップＳ１２）、選択したフォルダ内の
画像ファイルのサムネイルデータを作成し（ステップＳ１３）、検索用テーブル１７ｂに
おいて対応する画像ファイルのサムネイルデータを有り「１」に設定し（ステップＳ１４
）、作成したサムネイルデータを対応する画像ファイル１７ｃに関連づけて格納する（ス
テップＳ１５）。尚、「フォルダ以下全て」を選択すると、選択したフォルダに含まれる
、全ての画像データのサムネイルが作成される。このサムネイルを作成したフォルダは、
太字で表示される。
【００９２】
（サムネイルの削除処理）
次に、ＣＰＵ１３の制御により実行されるサムネイルの削除処理を説明する。  先ず、
操作者により、ブラウザ画面において、フォルダ表示領域▲４▼からサムネイルを削除す
るフォルダが選択され（図１３（Ｄ）参照）、次いで、メニューバー▲１▼の「画像」の
プルダウンメニューから「サムネイル削除」が選択されて、そして、確認の「ＯＫ」が選
択されると、作成されているサムネイルデータを削除する。尚、「フォルダ以下全て」を
選択すると、選択したフォルダに含まれる、全ての画像データのサムネイルが削除される
。
【００９３】
（キーワードの登録処理）
図１８のフローチャートを参照して、ＣＰＵ１３の制御により実行されるキーワードの
登録処理を説明する。図１８は、ＣＰＵ１３の制御により実行されるキーワードの登録処理を説明するためのフローチャートである。図１９は、キーワードの登録ダイアログボックスを示す図である。
【００９４】
先ず、操作者により、ブラウザ画面において、メニューバー▲１▼の「ファイル」のプ
ルダウンメニューから「キーワードの登録」が選択されると（ステップＳ２０）、図１９
に示す如き、キーワードの登録ダイアログボックスを表示する（ステップＳ２１）。次い
で、操作者により、この登録ダイアログボックスで、「登録済みキーワード」からキーワ
ードを登録するボタンが選択され（ステップＳ２２）、次いで、キーワードが入力され（
ステップＳ２３）、そして、入力内容が正しければ、確認の「ＯＫ」が選択されると（ス
テップＳ２４）、入力されたキーワードをキーワードバー▲６▼に表示すると共に（ステ
ップＳ２５）、キーワードテーブル１７ａ（図２参照）にキーワードを登録する（ステッ
プＳ２６）。例えば、図９に示す例では、キーワードとして「海の写真」、「山の写真」
、「海外旅行」が入力され、キーワードバー▲６▼に表示されている。また、この入力さ
れたキーワードは、図２に示す如く、キーワードテーブル１７ａに格納される。
【００９５】
（サムネイルへのキーワードの登録処理）
図２０のフローチャートを参照して、ＣＰＵ１３の制御により実行されるサムネイルへ
のキーワードの登録処理を説明する。図２０は、ＣＰＵ１３の制御により実行されるサムネイルへのキーワードの登録処理を説明するためのフローチャートである。
【００９６】
先ず、操作者により、ブラウザ画面において、キーワードを設定するサムネイルのキー
ワード領域がダブルクリックされる（ステップＳ３０）。次いで、操作者により、キーワ
ードバー▲６▼の設定するキーワードが選択され（ステップＳ３１）、確認の「ＯＫ」が
選択されると（ステップＳ３２）、選択されたサムネイルのキーワード領域に選択された
キーワードを表示すると共に（ステップＳ３３）、検索用テーブル１７ｃに、選択された
サムネイルに対応させてキーワードのキーワードＮｏを設定する（ステップＳ３４）。こ
のサムネイルに設定するキーワードは１つに限らず複数設定しても良い。例えば、図４に
示す検索テーブル１７ｂにおいては、「ｄｉｂＥ３３３．ｂｍｐ」のファイルには、「キ
ーワードＮｏ．Ａ（海の写真）」が、「００３５．ｂｍｐ」のファイルには、「キーワー
ドＮｏ．Ａ（海の写真）」及び「キーワードＮｏ．Ｂ（山の写真）」が、「０２３８．Ｊ
ＰＧ」のファイルには、「キーワードＮｏ．Ｃ（海外旅行）」がそれぞれ設定されている
。尚、図２１に示すキーワード設定ダイアログボックスを表示して、サムネイルにキーワ
ードを設定することにしても良い。
【００９７】
（サムネイルのキーワードの解除処理）
次に、ＣＰＵ１３の制御により実行されるサムネイルのキーワードの解除処理を説明す
る。
【００９８】
先ず、操作者により、ブラウザ画面において、キーワードを解除するサムネイルのキー
ワード表示領域がダブルクリックされると、図２１の如き、キーワード設定ダイアログボ
ックスを表示する。次いで、操作者により、このキーワード設定ダイアログボックスで、
解除するキーワードが選択されると、検索用テーブル１７ｃ（図４参照）の対応するキー
ワードＮｏを削除する。その結果、サムネイルに設定されたキーワードが削除されること
になる。
【００９９】
〔検索処理〕
図２２のフローチャートを参照して、ＣＰＵ１３の制御により実行される検索処理を説
明する。
【０１００】
先ず、操作者により、ブラウザ画面において、キーワードバー▲６▼で検索したいキー
ワードが選択されると（ステップＳ４０）、検索用テーブル１７ｂを参照して、選択され
たキーワードのキーワードＮ０が設定されたサムネイルを検索し（ステップＳ４１）、対
応するサムネイルを画像ファイル１７ｃ（図３参照）から読み出して（ステップＳ４２）
、サムネイル表示領域に表示する（ステップＳ４３）。すなわち、選択されたキーワード
が設定されたサムネイルのみが表示されることになる。尚、複数のキーワードを設定する
ことも可能である。この場合、選択したキーワードが全て設定されているサムネイルのみ
が表示される。尚、キーワードバー▲６▼において、検索したいキーワードを選択する替
わりに、図２３に示す如き、キーワード検索ダイアログボックスを表示して、検索したい
キーワードを選択することにしても良い。
【０１０１】
尚、上記した処理においては、キーワードとして単語を登録した例を示したが、キーワ
ードとして文章を登録する構成としても良い。また、キーワードとして単語を登録し、サ
ムネイルにこのサムネイルの説明文を設定して、このキーワードの単語を含む説明文が設
定されたサムネイルを検索する構成としても良い。具体的には、例えば、キーワードとし
て「場所」を登録し、この「場所」を含む説明文が設定されたサムネイルを検索すること
にしても良い。さらに、キーワードに基づきデータファイルを検索する際にＢｏｏｌｅａ
ｎロジックを用いても良い。
【０１０２】
〔画像の編集処理〕
ＣＰＵ１３の制御により実行される画像の編集処理を説明する。
【０１０３】
（１）並び順の変更処理
先ず、操作者により、ブラウザ画面において、メニューバー▲１▼の「表示」のプルダ
ウンメニューから「整列」が選択され（図１３（ｃ）参照）、次いで、「名前順」、「種
類順」、「日付順」のいずれかが選択され、更に、操作者により、メニュー＃  ▲１▼の
「表示」のプルダウンメニューから「整列」が選択され、そして、「昇順」又は「降順」
が選択されると、画像ファイル（サムネイル）を、名前順（ファイル名）、種類名（拡張
子）、又は日付順（制作日）に、昇順又は降順に並べて表示する。
【０１０４】
（２）サムネイルの表示の大きさの変更処理
先ず、操作者により、ブラウザ画面において、メニューバー▲１▼の「表示」のプルダ
ウンメニューから「表示サイズ」が選択され（図１３（ｃ）参照）、そして「大」又は「
小」が選択されると、サムネイルを選択された大きさに変更して表示する。
【０１０５】
（３）メモの設定処理
先ず、操作者により、ブラウザ画面において、メモを設定するサムネイル（画像ファイ
ル）のメモ設定有無表示（図１１参照）がダブルクリックされると、図示しないメモ設定
ダイアログボックスを表示する。次いで、操作者により、このメモ設定ダイアログボック
スにメモが入力されると、検索用テーブル１７ｂの対応する画像ファイルのメモ情報の設
定を有り「１」に設定すると共に、画像ファイルにメモ情報を設定（格納）する。
【０１０６】
（４）音声の設定処理
先ず、操作者により、音声を設定するサムネイル（画像ファイル）の音声設定有無表示
（図１１参照）がダブルクリックすると、図示しない音声設定ダイアログボックスを表示
する。次いで、操作者により、この音声設定ダイアログボックスに音声ファイル名（例え
ば、ＷＡＶファイル）が入力されると、検索用テーブル１７ｂにおいて、対応する画像フ
ァイルに入力された音声ファイルを設定する。
【０１０７】
（５）音声の再生処理
先ず、操作者により、ブラウザ画面において、音声を再生する画像ファイルの音声設定
有無表示（図１１参照）がダブルクリックされると、図示しない音声設定ダイアログボッ
クスを表示する。次いで、操作者により、この音声設定ダイアログボックスの「再生」が
選択されると、図示しないスピーカから音声を再生する。
【０１０８】
（６）ファイル形式の変換処理
先ず、操作者により、ファイル形式を変換する画像ファイルが選択される。次いで、操
作者により、メニューバー▲１▼の「画像」のプルダウンメニューから「画像形式変換」
が選択され、さらに、「保存形式」が選択されると、選択された保存形式に画像のファイ
ル形式を変換する。「保存形式」としては、例えば、Ｊ６Ｉ、ＴＩＦＦ（ＴＡＧ  Ｉｍａ
ｇｅ  Ｆｉｌｅ）、ＥＸＩＴ（Ｅｘｃｈａｎｇｅａｂｌｅ  Ｉｍａｇｅ  Ｆｉｌｅ  ）、
ＪＰＧ（Ｊｏｉｎｔ  Ｐｈｏｔｏｇｒａｐｈｉｃ  Ｅｘｐｅｒｔ  Ｇｒｏｕｐ）、ＢＭＰ
（Ｂｉｔｍａｐ）、ＧＩＦ（Ｇｒａｐｈｉｃ  Ｉｎｔｅｒｃｈａｎｇｅ  Ｆｏｒｍａｔ）
等がある。
【０１０９】
（画像の補正処理）
次に、ＣＰＵ１３の制御により実行される画像の補正処理を説明する。
（１）明るさ・コントラストの補正処理
先ず、操作者により、ブラウザ画面において、サムネイル表示領域▲５▼に表示された
サムネイルがダブルクリックされる。具体的には、例えば、図９において、「００３５．
ｂｍｐ」のサムネイルがクリックされると、図１２の如きビューワ画面を表示する。この
ビューワ画面においては、「００３５．ｂｍｐ」の画像が表示されている。次いで、操作
者により、このビューワ画面でメニューバーの「補正」のプルダウンメニューから「明る
さ・コントラスト」が選択されると（図１４（Ｂ）参照）、図２４に示す如く、原画を中
心として、明るさ・コントラストを段階的に補正したサムネイルを一覧表示する。そして
、操作者により、これら画像の中から最適な画像が選択される。
【０１１０】
（２）シャープネスの補正処理
先ず、操作者により、サムネイル表示領域▲５▼に表示されたサムネイルがダブルクリ
ックされると、このサムネイルに対応した画像をビューワ画面を表示する。次いで、操作
者により、このビューワ画面でメニューバーの「補正」のプルダウンメニューから「シャ
ープネス」が選択されると（図１４（Ｂ）参照）、図示しないシャープネス設定ダイアロ
グボックスが表示される。次いで、操作者により、シャープネス設定ダイアログボックス
において、スライダーボタンでシャープネスの程度が選択されると、この選択されたシャ
ープネスとなるように画像を補正してビューワ画面に表示する。
【０１１１】
（３）画像の回転処理
先ず、操作者により、ブラウザ画面において、サムネイル表示領域▲５▼に表示された
サムネイルがダブルクリックされると、このサムネイルに対応した画像をビューワ画面に
表示する。次いで、操作者により、このビューワ画面でメニューバーの「補正」のプルダ
ウンメニューから「回転」が選択され（図１４（Ｂ）参照）、更に、「右９０度回転」又
は「左９０度回転」が選択されると、ビューワ画面の画像を、時計回り又は反時計回りに
９０度回転させる。
【０１１２】
尚、デジタルカメラやデジタルビデオカメラ等で撮影された画像である場合には、画像
ファイルに付加された画像の撮影角度等を含む撮影情報に基づいて、画像をビューア画面
で所定角度回転させて表示する構成としても良い。これにより、撮影者が撮影時に撮影し
た角度で画像を表示することが可能となる。
【０１１３】
（４）補正した画像を原画に戻す処理
先ず、操作者により、ブラウザ画面において、サムネイル表示領域▲５▼に表示された
サムネイルがダブルクリックされると、このサムネイルに対応した画像をビューワ画面に
表示する。次いで、操作者により、このビューワ画面でメニューバーの「補正」のプルダ
ウンメニューから「原画に戻す」が選択されると（図１４（Ｂ）参照）、補正した画像を
原画に戻してビューア画面に表示する。
【０１１４】
以上説明したように、本実施の形態においては、上記表示処理装置は、フォルダ表示領
域において選択されたフォルダを識別表示するフォルダ識別表示機構と、選択されたフォ
ルダに含まれるファイルの関連情報を関連情報表示領域に表示するファイル情報表示機構
とを備えているので、ファイルの内容を容易に把握可能となる。
【０１１５】
また、上記表示処理装置では、ファイル情報表示機構は、選択されたフォルダに画像フ
ァイルが含まれる場合には、関連情報表示領域に当該画像ファイルに対応するサムネイル
を表示することとしたので、画像ファイルの内容を容易に把握可能となる。
【０１１６】
また、上記表示処理装置では、ファイル情報表示機構は、選択されたフォルダに文書フ
ァイルや音声ファイルが含まれる場合には、関連情報表示領域に、当該文書ファイルや音
声ファイルの種類を示すアイコンを表示することとしたので、文書ファイルや音声ファイ
ルの内容を容易に把握可能となる。
【０１１７】
また、上記表示処理装置では、選択された画像ファイルのサムネイルを作成し、記憶手
段に当該選択された画像ファイルに関連づけて当該作成したサムネイルを記憶するサムネ
イル作成手段と、サムネイルを表示する際に、記憶手段にサムネイルが記憶されている場
合には、当該記憶されたサムネイルを読み出して関連情報表示領域に表示する一方、記憶
手段にサムネイルが記憶されていない場合には、新たにサムネイルを作成して関連情報表
示領域に表示するサムネイル表示機構とを備えているので、２回目以降にサムネイルを高
速に表示することが可能となる。
【０１１８】
また、上記表示処理装置では、さらに、１又は複数のキーワードを入力するキーワード
入力機構と、前記キーワード入力手段により入力されたキーワードの１又は複数を、１又
は複数のサムネイルに、それぞれ設定するキーワード入力機構と、キーワード入力機構に
より入力されたキーワードを１又は複数選択するキーワード選択機構と、キーワード選択
機構により選択されたキーワードを検索キーとして、当該選択されたキーワードが設定さ
れたサムネイルを検索し、一覧表示する検索機構と、を備えることとしたので、キーワー
ドに基づいて効率的な画像ファイル（サムネイル）の検索が可能となる。
【０１１９】
また、上記表示処理装置では、さらに、１又は複数のキーワードを入力するキーワード
入力機構と、入力されたキーワードをキーワード表示領域に表示するキーワード表示機構
と、キーワード入力機構により入力されたキーワードの１又は複数を、１又は複数のサム
ネイルに、それぞれ設定するキーワード設定機構と、キーワード表示領域に表示されたキ
ーワードを１又は複数選択するキーワード選択機構と、キーワード選択機構により選択さ
れたキーワードを検索キーとして、当該選択されたキーワードが設定されたサムネイルを
複数のフォルダに跨って検索し、一覧表示する検索機構と、を備えることとしたので、複
数フォルダに跨って広い範囲に亘り効率的な画像ファイル（サムネイル）の検索が可能と
なる。
【０１２０】
また、上記表示処理装置では、サムネイルに対応した画像を指定された角度回転させて
表示する画像回転機構を備えることとしたので、操作者が見やすい角度で画像を表示する
ことが可能となる。
【０１２１】
また、上記表示処理装置では、画像の撮影情報に基づいて、画像を所定角度回転させて
表示する画像回転機構を備えているので、撮影者が撮影時に画像を撮影した角度で画像を
表示することが可能となる。
【０１２２】
また、上記表示処理装置では、サムネイルをアイコン表示領域に表示された他のアプリ
ケーションソフトを示すアイコンにドラッグ＆ドロップすることにより当該サムネイルに
対応する画像ファイルを当該アプリケーションに引き渡すと共に、当該他のアプリケーシ
ョンを起動させるアプリケーション起動機構を備えているので、ファイルをドラッグ＆ド
ロップで容易に他のアプリケーションに渡すと共に他のアプリケーションを起動させるこ
とが可能となる。
【０１２３】
また、上記表示処理装置では、指定された１のサムネイルの明るさ及びコントラストを
夫々段階的に補正して得られる複数のサムネイルを一覧表示する補正機構を備えているの
で、明るさ及びコントラストを補正したサムネイルを一覧表示することができ、操作者が
サムネイルの明るさ及びコントラストの補正が容易となる。
【産業上の利用可能性】
【０１２４】
本発明に係る表示処理装置、表示処理方法、およびブラウザプログラムは、ファイルを管理する場合に広く有用である。
【図面の簡単な説明】
【０１２５】
【図１】本実施の形態に係る表示処理装置の概略構成例を示す図である。
【図２】キーワードテーブルの構成例を示す図である。
【図３】画像ファイルのデータ構成例を示す図である。
【図４】検索用テーブの構成例を示す図である。
【図５】ブラウザプログラムのシステム概要を示す図である。
【図６】ブラウザシステムの機能を示す図である。
【図７】基本アプリケーションとアドインソフトとのデータの受け渡しを説明するための図である。
【図８】基本アプリケーションとアドインソフトのウインドウは連携を示す図である。
【図９】基本アプリケーション（ブラウザ）の基本画面の１例を示す図である。
【図１０】アイコンバーの表示例を示す図である。
【図１１】サムネイル表示領域の表示例を示す図である。
【図１２】ビューワ画面がの表示例を示す図である。
【図１３】ブラウザ画面のメニューバーのプルダウンメニューの例を示す図である。
【図１４】ビューア画面のメニューバーのプルダウンメニューの例を示す図である。
【図１５】ＣＰＵの制御により実行される識別表示処理を説明するためのフローチャートである。
【図１６】登録用ウインドウの表示画面の表示例を示す図である。
【図１７】ＣＰＵの制御により実行されるキーワードの登録処理を説明するためのフローチャートである。
【図１８】ＣＰＵの制御により実行されるキーワードの登録処理を説明するためのフローチャートである。
【図１９】キーワードの登録ダイアログボックスを示す図である。
【図２０】ＣＰＵの制御により実行されるサムネイルへのキーワードの登録処理を説明するためのフローチャートである。
【図２１】キーワード設定ダイアログボックスを示す図である。
【図２２】ＣＰＵの制御により実行される検索処理を説明するためのフローチャートである。
【図２３】キーワード検索ダイアログボックスを示す図である。
【図２４】明るさ・コントラストの補正処理の表示例を示す図である。
【符号の説明】
【０１２６】
１  表示処理装置
１１  入力部
１２  表示部
１３  ＣＰＵ
１４  通信部
１５  記録媒体アクセス装置
１６  記録媒体
１７  管理ファイル
１８  印刷部
１９  ＲＡＭ
２０  デジタルカメラ
【図１】
2006202302.tif 000003
【図２】
2006202302.tif 000004
【図３】
2006202302.tif 000005
【図４】
2006202302.tif 000006
【図５】
2006202302.tif 000007
【図６】
2006202302.tif 000008
【図７】
2006202302.tif 000009
【図８】
2006202302.tif 000010
【図９】
2006202302.tif 000011
【図１０】
2006202302.tif 000012
【図１１】
2006202302.tif 000013
【図１２】
2006202302.tif 000014
【図１３】
2006202302.tif 000015
【図１４】
2006202302.tif 000016
【図１５】
2006202302.tif 000017
【図１６】
2006202302.tif 000018
【図１７】
2006202302.tif 000019
【図１８】
2006202302.tif 000020
【図１９】
2006202302.tif 000021
【図２０】
2006202302.tif 000022
【図２１】
2006202302.tif 000023
【図２２】
2006202302.tif 000024
【図２３】
2006202302.tif 000025
【図２４】
2006202302.tif 000026